(57)【要約】  本発明は、ＨＡＲＱ情報の伝送方法及び装置、コンピュータ記憶媒体を開示する。前記方法は、端末装置が第１上りタイムユニットを決定し、前記第１上りタイムユニットが、前記端末装置が第１上り制御情報を送信するためのタイムユニットであり、前記第１上り制御情報に第１ＨＡＲＱ情報が含まれ、前記第１ＨＡＲＱ情報が、前記端末装置により受信される第１下り共有チャネルに対応する少なくとも１つのＨＡＲＱ情報を含み、前記第１下り共有チャネルに少なくとも１つの下り共有チャネルが含まれ、前記第１下り共有チャネルが、第１時間帯における少なくとも１つの下りタイムユニットにより送信されることと、前記端末装置が、前記第１上りタイムユニットにおいて、前記第１上り制御情報を送信することとを含む。
2021517793.tif 000002
【特許請求の範囲】
【請求項１】
ハイブリッド自動再送要求（ＨＡＲＱ）情報の伝送方法であって、
端末装置が、第１上りタイムユニットを決定することであって、前記第１上りタイムユニットが、前記端末装置が第１上り制御情報を送信するためのタイムユニットであり、前記第１上り制御情報に第１ハイブリッド自動再送要求（ＨＡＲＱ）情報が含まれ、前記第１ＨＡＲＱ情報が、前記端末装置により受信される第１下り共有チャネルに対応する少なくとも１つのＨＡＲＱ情報を含み、前記第１下り共有チャネルに少なくとも１つの下り共有チャネルが含まれ、前記第１下り共有チャネルが、第１時間帯における少なくとも１つの下りタイムユニットにより送信されることと、
前記端末装置が、前記第１上りタイムユニットにおいて、前記第１上り制御情報を送信することとを含む、ハイブリッド自動再送要求情報の伝送方法。
【請求項２】
前記第１時間帯に含まれる最後の下りタイムユニットは、第１下りタイムユニットであり、前記第１下りタイムユニットと前記第１上りタイムユニットとの時間的間隔は、第１値以上であることを特徴とする、
請求項１に記載の方法。
【請求項３】
前記第１値は、通信システムにより規定されたものであるか、
前記第１値は、ネットワーク装置が物理層シグナリングにより指示したものであるか、又は、
前記第１値は、前記ネットワーク装置が上位層シグナリングにより設定したものであることを特徴とする、
請求項２に記載の方法。
【請求項４】
前記第１時間帯に含まれる一番目の下りタイムユニットは、第２下りタイムユニットであり、前記第２下りタイムユニットと前記第１上りタイムユニットとの時間的間隔は、第２値以下であることを特徴とする、
請求項１から３のいずれか一項に記載の方法。
【請求項５】
前記第２値は、通信システムにより規定されたものであるか、
前記第２値は、ネットワーク装置が物理層シグナリングにより指示したものであるか、又は、
前記第２値は、前記ネットワーク装置が上位層シグナリングにより設定したものであることを特徴とする、
請求項４に記載の方法。
【請求項６】
前記方法は、
前記端末装置が、第２上りタイムユニットにおいて、前記第１上り制御情報を送信することをさらに含み、前記第２上りタイムユニットが、前記第１上りタイムユニットよりも遅いことを特徴とする、
請求項１から５のいずれか一項に記載の方法。
【請求項７】
前記方法は、
前記端末装置が、第３上りタイムユニットを決定し、前記第３上りタイムユニットが、前記端末装置が第２上り制御情報を送信するためのタイムユニットであり、前記第２上り制御情報に第２ＨＡＲＱ情報が含まれ、前記第２ＨＡＲＱ情報が、前記端末装置により受信された第２下り共有チャネルに対応する少なくとも１つのＨＡＲＱ情報であり、前記第２下り共有チャネルに少なくとも１つの下り共有チャネルが含まれ、前記第２下り共有チャネルが、第２時間帯における少なくとも１つの下りタイムユニットにより送信されることと、
前記端末装置が、前記第３上りタイムユニットにおいて、前記第２上り制御情報を送信することとを更に含むことを特徴とする、
請求項１から６のいずれか一項に記載の方法。
【請求項８】
前記第２時間帯は、前記第１時間帯よりも遅く、且つ、前記第１時間帯と前記第２時間帯との間に、下りタイムユニットが含まれないことを特徴とする、
請求項７に記載の方法。
【請求項９】
前記第２時間帯は、前記第１時間帯よりも遅く、且つ、前記第１時間帯と前記第２時間帯に同じ第３下りタイムユニットが含まれ、前記第３下りタイムユニットに少なくとも１つの下りタイムユニットが含まれることを特徴とする、
請求項７に記載の方法。
【請求項１０】
前記第１上り制御情報に、第３ＨＡＲＱ情報が更に含まれるか、及び／又は、前記第２上り制御情報に、前記第３ＨＡＲＱ情報が更に含まれ、ここで、前記第３ＨＡＲＱ情報は、前記第３下りタイムユニットで伝送された少なくとも１つの下り共有チャネルに対応する少なくとも１つのＨＡＲＱ情報であることを特徴とする、
請求項９に記載の方法。
【請求項１１】
ハイブリッド自動再送要求（ＨＡＲＱ）情報の伝送方法であって、
ネットワーク装置が、端末装置に第１情報を送信することであって、前記第１情報が、前記端末装置が第１上り制御情報を送信するための第１上りタイムユニットを指示するためのものであり、前記第１上り制御情報に第１ハイブリッド自動再送要求（ＨＡＲＱ）情報が含まれ、前記第１ＨＡＲＱ情報が、前記端末装置により受信される第１下り共有チャネルに対応する少なくとも１つのＨＡＲＱ情報を含み、前記第１下り共有チャネルに少なくとも１つの下り共有チャネルが含まれ、前記第１下り共有チャネルが、第１時間帯における少なくとも１つの下りタイムユニットにより送信されることと、
前記ネットワーク装置が、前記第１上りタイムユニットにおいて、前記第１上り制御情報を受信することとを含む、ハイブリッド自動再送要求情報の伝送方法。
【請求項１２】
前記第１時間帯に含まれる最後の下りタイムユニットは、第１下りタイムユニットであり、前記第１下りタイムユニットと前記第１上りタイムユニットとの時間的間隔は、第１値以上であることを特徴とする、
請求項１１に記載の方法。
【請求項１３】
前記第１値は、通信システムにより規定されたものであるか、
前記第１値は、ネットワーク装置が物理層シグナリングにより指示したものであるか、又は、
前記第１値は、前記ネットワーク装置が上位層シグナリングにより設定したものであることを特徴とする、
請求項１２に記載の方法。
【請求項１４】
前記第１時間帯に含まれる一番目の下りタイムユニットは、第２下りタイムユニットであり、前記第２下りタイムユニットと前記第１上りタイムユニットとの時間的間隔は、第２値以下であることを特徴とする、
請求項１１から１３のいずれか一項に記載の方法。
【請求項１５】
前記第２値は、通信システムにより規定されたものであるか、
前記第２値は、ネットワーク装置が物理層シグナリングにより指示したものであるか、又は、
前記第２値は、前記ネットワーク装置が上位層シグナリングにより設定したものであることを特徴とする、
請求項１４に記載の方法。
【請求項１６】
前記方法は、
前記ネットワーク装置が、第２上りタイムユニットにおいて、前記第１上り制御情報を受信することをさらに含み、前記第２上りタイムユニットが前記第１上りタイムユニットよりも遅いことを特徴とする、
請求項１１から１５のいずれか一項に記載の方法。
【請求項１７】
前記方法は、
前記ネットワーク装置が、前記端末装置に第２情報を送信し、前記第２情報が、前記端末装置が第２上り制御情報を送信するための第３上りタイムユニットを指示するためのものであり、前記第２上り制御情報に第２ＨＡＲＱ情報が含まれ、前記第２ＨＡＲＱ情報が、前記端末装置により受信された第２下り共有チャネルに対応する少なくとも１つのＨＡＲＱ情報であり、前記第２下り共有チャネルに少なくとも１つの下り共有チャネルが含まれ、前記第２下り共有チャネルが、第２時間帯における少なくとも１つの下りタイムユニットにより送信されることと、
前記ネットワーク装置が、前記第３上りタイムユニットにおいて、前記第２上り制御情報を受信することとを更に含むことを特徴とする、
請求項１１から１６のいずれか一項に記載の方法。
【請求項１８】
前記第２時間帯は、前記第１時間帯よりも遅く、且つ、前記第１時間帯と前記第２時間帯との間に、下りタイムユニットが含まれないことを特徴とする、
請求項１７に記載の方法。
【請求項１９】
前記第２時間帯は、前記第１時間帯よりも遅く、且つ、前記第１時間帯と前記第２時間帯に同じ第３下りタイムユニットが含まれ、前記第３下りタイムユニットに少なくとも１つの下りタイムユニットが含まれることを特徴とする、
請求項１７に記載の方法。
【請求項２０】
前記第１上り制御情報に、第３ＨＡＲＱ情報が更に含まれるか、及び／又は、前記第２上り制御情報に、前記第３ＨＡＲＱ情報が更に含まれ、ここで、前記第３ＨＡＲＱ情報は、前記第３下りタイムユニットで伝送された少なくとも１つの下り共有チャネルに対応する少なくとも１つのＨＡＲＱ情報であることを特徴とする、
請求項１９に記載の方法。
【請求項２１】
ハイブリッド自動再送要求（ＨＡＲＱ）情報伝送装置であって、
第１上りタイムユニットを決定するように構成される決定ユニットであって、前記第１上りタイムユニットが、前記端末装置が第１上り制御情報を送信するためのタイムユニットであり、前記第１上り制御情報に第１ハイブリッド自動再送要求（ＨＡＲＱ）情報が含まれ、前記第１ＨＡＲＱ情報が、前記端末装置により受信される第１下り共有チャネルに対応する少なくとも１つのＨＡＲＱ情報を含み、前記第１下り共有チャネルに少なくとも１つの下り共有チャネルが含まれ、前記第１下り共有チャネルが、第１時間帯における少なくとも１つの下りタイムユニットにより送信される決定ユニットと、
前記第１上りタイムユニットにおいて、前記第１上り制御情報を送信するように構成される第１送信ユニットとを備える、ハイブリッド自動再送要求情報伝送装置。
【請求項２２】
前記第１時間帯に含まれる最後の下りタイムユニットは、第１下りタイムユニットであり、前記第１下りタイムユニットと前記第１上りタイムユニットとの時間的間隔は、第１値以上であることを特徴とする、
請求項２１に記載の装置。
【請求項２３】
前記第１値は、通信システムにより規定されたものであるか、
前記第１値は、ネットワーク装置が物理層シグナリングにより指示したものであるか、又は、
前記第１値は、前記ネットワーク装置が上位層シグナリングにより設定したものであることを特徴とする、
請求項２２に記載の装置。
【請求項２４】
前記第１時間帯に含まれる一番目の下りタイムユニットは、第２下りタイムユニットであり、前記第２下りタイムユニットと前記第１上りタイムユニットとの時間的間隔は、第２値以下であることを特徴とする、
請求項２１から２３のいずれか一項に記載の装置。
【請求項２５】
前記第２値は、通信システムにより規定されたものであるか、
前記第２値は、ネットワーク装置が物理層シグナリングにより指示したものであるか、又は、
前記第２値は、前記ネットワーク装置が上位層シグナリングにより設定したものであることを特徴とする、
請求項２４に記載の装置。
【請求項２６】
前記装置は、
第２上りタイムユニットにおいて、前記第１上り制御情報を送信するように構成される第２送信ユニットを更に備え、前記第２上りタイムユニットが、前記第１上りタイムユニットよりも遅いことを特徴とする、
請求項２１から２５のいずれか一項に記載の装置。
【請求項２７】
前記決定ユニットは更に、第３上りタイムユニットを決定するように構成され、前記第３上りタイムユニットが、前記端末装置が第２上り制御情報を送信するためのタイムユニットであり、前記第２上り制御情報に第２ＨＡＲＱ情報が含まれ、前記第２ＨＡＲＱ情報が、前記端末装置により受信された第２下り共有チャネルに対応する少なくとも１つのＨＡＲＱ情報であり、前記第２下り共有チャネルに少なくとも１つの下り共有チャネルが含まれ、前記第２下り共有チャネルが、第２時間帯における少なくとも１つの下りタイムユニットにより送信され、
前記装置は、前記第３上りタイムユニットにおいて、前記第２上り制御情報を送信するように構成される第３送信ユニットを更に備えることを特徴とする、
請求項２１から２６のいずれか一項に記載の装置。
【請求項２８】
前記第２時間帯は、前記第１時間帯よりも遅く、且つ、前記第１時間帯と前記第２時間帯との間に、下りタイムユニットが含まれないことを特徴とする、
請求項２７に記載の装置。
【請求項２９】
前記第２時間帯は、前記第１時間帯よりも遅く、且つ、前記第１時間帯と前記第２時間帯に同じ第３下りタイムユニットが含まれ、前記第３下りタイムユニットに少なくとも１つの下りタイムユニットが含まれることを特徴とする、
請求項２７に記載の装置。
【請求項３０】
前記第１上り制御情報に、第３ＨＡＲＱ情報が更に含まれるか、及び／又は、前記第２上り制御情報に、前記第３ＨＡＲＱ情報が更に含まれ、ここで、前記第３ＨＡＲＱ情報は、前記第３下りタイムユニットで伝送された少なくとも１つの下り共有チャネルに対応する少なくとも１つのＨＡＲＱ情報であることを特徴とする、
請求項２９に記載の装置。
【請求項３１】
ハイブリッド自動再送要求（ＨＡＲＱ）情報伝送装置であって、
端末装置に第１情報を送信するように構成される送信ユニットであって、前記第１情報が、前記端末装置が第１上り制御情報を送信するための第１上りタイムユニットを指示するためのものであり、前記第１上り制御情報に第１ハイブリッド自動再送要求（ＨＡＲＱ）情報が含まれ、前記第１ＨＡＲＱ情報が、前記端末装置により受信される第１下り共有チャネルに対応する少なくとも１つのＨＡＲＱ情報を含み、前記第１下り共有チャネルに少なくとも１つの下り共有チャネルが含まれ、前記第１下り共有チャネルが、第１時間帯における少なくとも１つの下りタイムユニットにより送信される送信ユニットと、
前記第１上りタイムユニットにおいて、前記第１上り制御情報を受信するように構成される第１受信ユニットとを備える、ハイブリッド自動再送要求情報伝送装置。
【請求項３２】
前記第１時間帯に含まれる最後の下りタイムユニットは、第１下りタイムユニットであり、前記第１下りタイムユニットと前記第１上りタイムユニットとの時間的間隔は、第１値以上であることを特徴とする、
請求項３１に記載の装置。
【請求項３３】
前記第１値は、通信システムにより規定されたものであるか、
前記第１値は、ネットワーク装置が物理層シグナリングにより指示したものであるか、又は、
前記第１値は、前記ネットワーク装置が上位層シグナリングにより設定したものであることを特徴とする、
請求項３２に記載の装置。
【請求項３４】
前記第１時間帯に含まれる一番目の下りタイムユニットは、第２下りタイムユニットであり、前記第２下りタイムユニットと前記第１上りタイムユニットとの時間的間隔は、第２値以下であることを特徴とする、
請求項３１から３３のいずれか一項に記載の装置。
【請求項３５】
前記第２値は、通信システムにより規定されたものであるか、
前記第２値は、ネットワーク装置が物理層シグナリングにより指示したものであるか、又は、
前記第２値は、前記ネットワーク装置が上位層シグナリングにより設定したものであることを特徴とする、
請求項３４に記載の装置。
【請求項３６】
前記装置は、
第２上りタイムユニットにおいて、前記第１上り制御情報を受信するように構成される第２受信ユニットを更に備え、前記第２上りタイムユニットが前記第１上りタイムユニットよりも遅いことを特徴とする、
請求項３１から３５のいずれか一項に記載の装置。
【請求項３７】
前記送信ユニットは更に、前記端末装置に第２情報を送信するように構成され、前記第２情報が、前記端末装置が第２上り制御情報を送信するための第３上りタイムユニットを指示するためのものであり、前記第２上り制御情報に第２ＨＡＲＱ情報が含まれ、前記第２ＨＡＲＱ情報が、前記端末装置により受信された第２下り共有チャネルに対応する少なくとも１つのＨＡＲＱ情報であり、前記第２下り共有チャネルに少なくとも１つの下り共有チャネルが含まれ、前記第２下り共有チャネルが、第２時間帯における少なくとも１つの下りタイムユニットにより送信され、
前記装置は、前記第３上りタイムユニットにおいて、前記第２上り制御情報を受信するように構成される第３受信ユニットを更に備えることを特徴とする、
請求項３１から３６のいずれか一項に記載の装置。
【請求項３８】
前記第２時間帯は、前記第１時間帯よりも遅く、且つ、前記第１時間帯と前記第２時間帯との間に、下りタイムユニットが含まれないことを特徴とする、
請求項３７に記載の装置。
【請求項３９】
前記第２時間帯は、前記第１時間帯よりも遅く、且つ、前記第１時間帯と前記第２時間帯に同じ第３下りタイムユニットが含まれ、前記第３下りタイムユニットに少なくとも１つの下りタイムユニットが含まれることを特徴とする、
請求項３７に記載の装置。
【請求項４０】
前記第１上り制御情報に、第３ＨＡＲＱ情報が更に含まれるか、及び／又は、前記第２上り制御情報に、前記第３ＨＡＲＱ情報が更に含まれ、ここで、前記第３ＨＡＲＱ情報は、前記第３下りタイムユニットで伝送された少なくとも１つの下り共有チャネルに対応する少なくとも１つのＨＡＲＱ情報であることを特徴とする、
請求項３９に記載の装置。
【請求項４１】
コンピュータ記憶媒体であって、コンピュータによる実行可能な命令が記憶されており、前記コンピュータによる実行可能な命令がプロセッサにより実行される時、請求項１から１０のいずれか一項に記載の方法のステップ、又は請求項１１から２０のいずれか一項に記載の方法のステップを実現させる、コンピュータ記憶媒体。
【発明の詳細な説明】
【技術分野】
【０００１】
本発明は、無線通信技術分野に関し、特にハイブリッド自動再送要求（ＨＡＲＱ：Ｈｙｂｒｉｄ  Ａｕｔｏｍａｔｉｃ  Ｒｅｐｅａｔ  ｒｅＱｕｅｓｔ）情報の伝送方法及び装置、コンピュータ記憶媒体に関する。
【背景技術】
【０００２】
無線通信技術の進歩に伴い、長期的進化（ＬＴＥ：Ｌｏｎｇ  Ｔｅｒｍ  Ｅｖｏｌｕｔｉｏｎ）システムに基づいたライセンスアシスタントアクセスシステム（ＬＡＡ−ＬＴＥ：Ｌｉｃｅｎｓｅｄ−Ａｓｓｉｓｔｅｄ  Ａｃｃｅｓｓ−  Ｌｏｎｇ  Ｔｅｒｍ  Ｅｖｏｌｕｔｉｏｎ）は、キャリアアグリゲーションに基づいて、ライセンススペクトルにおけるキャリアをプライマリキャリアとして、アンライセンススペクトルにおけるキャリアをセカンダリキャリアとして利用して、端末装置にサービスを提供する。新しい無線（ＮＲ：Ｎｅｗ  Ｒａｄｉｏ）システムは、アンライセンススペクトルに適用される場合、ライセンスアシスタントアクセス（ＬＡＡ）以外に、スタンドアローン（ＳＡ：Ｓｔａｎｄａｌｏｎｅ）におけるネットワーキングもサポートしているため、アンライセンススペクトルにおける物理上り制御チャネル（ＰＵＣＣＨ：Ｐｈｙｓｉｃａｌ  Ｕｐｌｉｎｋ  Ｃｏｎｔｒｏｌ  ＣＨａｎｎｅｌ）の伝送を考慮する必要がある。
【０００３】
ＮＲシステムにおいて、ＰＵＣＣＨは、複数種類のフォーマットを有し、各フォーマットのＰＵＣＣＨは、表１に示すように、複数のシンボル長を有する。
【表１】
2021517793.tif 000003
【０００４】
ネットワーク装置は、端末に対して、ＰＵＣＣＨフォーマット０、１、２、３、４のうちの１つ又は複数を設定することができる。ここで、１つのＰＵＣＣＨリソース（ｒｅｓｏｕｒｃｅ）の設定情報には、少なくとも該ＰＵＣＣＨの開始シンボルの位置及び該ＰＵＣＣＨに含まれるシンボルの数が含まれる。具体的には、ＰＵＣＣＨフォーマット０及び２について、対応するＰＵＣＣＨに含まれるシンボルの数は、１又は２である。ＰＵＣＣＨフォーマット１、３及び４について、対応するＰＵＣＣＨに含まれるシンボルの数は、４から１４のうちのいずれか１つである。
【０００５】
ネットワーク装置は、下り制御情報（ＤＣＩ：Ｄｏｗｎｌｉｎｋ  Ｃｏｎｔｒｏｌ  Ｉｎｆｏｒｍａｔｉｏｎ）により、端末装置のＰＵＣＣＨリソース時間領域位置を動的に指示する。例えば、ネットワーク装置は、ＤＣＩにおけるＰＤＳＣＨ−ＨＡＲＱ指示情報（物理下り共有チャネルＰＤＳＣＨ：Ｐｈｙｓｉｃａｌ  Ｄｏｗｎｌｉｎｋ  Ｓｈａｒｅｄ  ＣＨａｎｎｅｌ−ハイブリッド自動再送要求（ＨＡＲＱ）：Ｈｙｂｒｉｄ  Ａｕｔｏｍａｔｉｃ  Ｒｅｐｅａｔ  ｒｅＱｕｅｓｔのフィードバック時間指示情報）により指示する。図１に示すように、ＤＣＩは、図１に示した物理下り制御チャネル（ＰＤＣＣＨ：Ｐｈｙｓｉｃａｌ  Ｄｏｗｎｌｉｎｋ  Ｃｏｎｔｒｏｌ  ＣＨａｎｎｅｌ）で搬送されていることが理解されるべきである。例えば、ネットワーク装置は、タイムユニット＃０において、ＰＤＣＣＨにより１つのＰＤＳＣＨの伝送をスケジューリングしている。また、該ＰＤＣＣＨにより、該ＰＤＳＣＨに対応する上りフィードバックであるＰＤＳＣＨ−ＨＡＲＱのフィードバック時間ｎ＋ｋのうちのｋ＝５を指示している。図１において、ＰＤＣＣＨ及びＰＤＳＣＨが同一のタイムユニットにあると仮定する。端末装置は、ｎ番目のタイムユニットにおいて、ＰＤＳＣＨを受信してから、ｎ＋５番目のタイムユニットにおいて、該ＰＤＳＣＨに対応するＨＡＲＱ情報をフィードバックする。つまり、図１に示したタイムユニット＃５においてＰＵＣＣＨが伝送される。該ＰＵＣＣＨによりタイムユニット＃０におけるＰＤＳＣＨに対するＨＡＲＱ情報が搬送される。
【０００６】
端末装置は、信号を送信する前に、クリアチャネル評価（ＣＣＡ：Ｃｌｅａｒ  Ｃｈａｎｎｅｌ  Ａｓｓｅｓｓｍｅｎｔ）により、アンライセンススペクトルにおけるチャネルを検出する必要がある。チャネルが空いている場合にのみ、ＰＵＣＣＨを送信することができ、そうでなければ、送信することができない。固定したＰＤＳＣＨ−ＨＡＲＱフィードバック時間を使用する場合、ＰＤＳＣＨ−ＨＡＲＱフィードバック時間に基づいて決定されたＰＵＣＣＨリソースは、ばらばらになってしまい、ネットワーク装置の上りスケジューリングへ影響を与えてしまう。
【発明の概要】
【発明が解決しようとする課題】
【０００７】
上記技術的課題を解決するために、本発明の実施例は、ＨＡＲＱ情報の伝送方法及び装置、コンピュータ記憶媒体を提供する。
【課題を解決するための手段】
【０００８】
第１態様によれば、ＨＡＲＱ情報の伝送方法を提供する。該方法は、
端末装置が第１上りタイムユニットを決定し、前記第１上りタイムユニットが、前記端末装置が第１上り制御情報を送信するためのタイムユニットであり、前記第１上り制御情報に第１ＨＡＲＱ情報が含まれ、前記第１ＨＡＲＱ情報が、前記端末装置により受信される第１下り共有チャネルに対応する少なくとも１つのＨＡＲＱ情報を含み、前記第１下り共有チャネルに少なくとも１つの下り共有チャネルが含まれることと、
前記端末装置が、前記第１上りタイムユニットにおいて、前記第１上り制御情報を送信することとを含む。
【０００９】
任意選択的に、前記第１下り共有チャネルは、第１時間帯における少なくとも１つの下りタイムユニットにより送信される。
【００１０】
任意選択的な実施形態において、前記第１時間帯に含まれる最後の下りタイムユニットは、第１下りタイムユニットであり、前記第１下りタイムユニットと前記第１上りタイムユニットとの時間的間隔は、第１値以上である。
【００１１】
任意選択的な実施形態において、前記第１値は、通信システムにより規定されたものであるか、
前記第１値は、ネットワーク装置が物理層シグナリングにより指示したものであるか、又は、
前記第１値は、前記ネットワーク装置が上位層シグナリングにより設定したものである。
【００１２】
任意選択的な実施形態において、前記第１時間帯に含まれる一番目の下りタイムユニットは、第２下りタイムユニットであり、前記第２下りタイムユニットと前記第１上りタイムユニットとの時間的間隔は、第２値以下である。
【００１３】
任意選択的な実施形態において、前記第２値は、通信システムにより規定されたものであるか、
前記第２値は、ネットワーク装置が物理層シグナリングにより指示したものであるか、又は、
前記第２値は、前記ネットワーク装置が上位層シグナリングにより設定したものである。
【００１４】
第１値及び／又は第２値に基づいて、１つのタイムユニットでフィードバックされる一定の期間内のＰＤＳＣＨ伝送に対応するＨＡＲＱ情報を決定することで、ネットワーク装置は、上りフィードバック情報伝送のためのタイムユニットを集中的に割り当て、アンライセンスキャリアにおける上りと下りリソースの割り当てを柔軟に決定することができることが理解されるべきである。
【００１５】
任意選択的な実施形態において、前記方法は、
前記端末装置が、第２上りタイムユニットにおいて、前記第１上り制御情報を送信することをさらに含み、前記第２上りタイムユニットが、前記第１上りタイムユニットよりも遅い。
【００１６】
少なくとも２つの上りタイムユニット（例えば、第１上りタイムユニット及び第２上りタイムユニット）を利用して第１上り制御情報を送信することで、前記第１上り制御情報の伝送の正確度を向上させ、通信リンクの性能を確保することができることが理解されるべきである。
【００１７】
任意選択的な実施形態において、前記方法は、
前記端末装置が、第３上りタイムユニットを決定し、前記第３上りタイムユニットが、前記端末装置が第２上り制御情報を送信するためのタイムユニットであり、前記第２上り制御情報に第２ＨＡＲＱ情報が含まれ、前記第２ＨＡＲＱ情報が、前記端末装置により受信された第２下り共有チャネルに対応する少なくとも１つのＨＡＲＱ情報であり、前記第２下り共有チャネルに少なくとも１つの下り共有チャネルが含まれることと、
前記端末装置が、前記第３上りタイムユニットにおいて、前記第２上り制御情報を送信することとを更に含む。
【００１８】
任意選択的に、前記第２下り共有チャネルは、第２時間帯における少なくとも１つの下りタイムユニットにより送信される。
【００１９】
任意選択的な実施形態において、前記第２時間帯は、前記第１時間帯よりも遅く、且つ、前記第１時間帯と前記第２時間帯との間に、下りタイムユニットが含まれない。
【００２０】
任意選択的な実施形態において、前記第２時間帯は、前記第１時間帯よりも遅く、且つ、前記第１時間帯と前記第２時間帯に同じ第３下りタイムユニットが含まれ、前記第３下りタイムユニットに少なくとも１つの下りタイムユニットが含まれる。
【００２１】
任意選択的な実施形態において、前記第１上り制御情報に、第３ＨＡＲＱ情報が更に含まれるか、及び／又は、前記第２上り制御情報に、前記第３ＨＡＲＱ情報が更に含まれ、ここで、前記第３ＨＡＲＱ情報は、前記第３下りタイムユニットで伝送された少なくとも１つの下り共有チャネルに対応する少なくとも１つのＨＡＲＱ情報である。
【００２２】
第２態様によれば、ＨＡＲＱ情報の伝送方法を提供する。該方法は、
ネットワーク装置が端末装置に第１情報を送信し、前記第１情報が、前記端末装置が第１上り制御情報を送信するための第１上りタイムユニットを指示するためのものであり、前記第１上り制御情報に第１ＨＡＲＱ情報が含まれ、前記第１ＨＡＲＱ情報が、前記端末装置により受信される第１下り共有チャネルに対応する少なくとも１つのＨＡＲＱ情報を含み、前記第１下り共有チャネルに少なくとも１つの下り共有チャネルが含まれることと、
前記ネットワーク装置が、前記第１上りタイムユニットにおいて、前記第１上り制御情報を受信することとを含む。
【００２３】
任意選択的に、前記第１下り共有チャネルは、第１時間帯における少なくとも１つの下りタイムユニットにより送信される。
【００２４】
任意選択的な実施形態において、前記第１時間帯に含まれる最後の下りタイムユニットは、第１下りタイムユニットであり、前記第１下りタイムユニットと前記第１上りタイムユニットとの時間的間隔は、第１値以上である。
【００２５】
任意選択的な実施形態において、前記第１値は、通信システムにより規定されたものであるか、
前記第１値は、ネットワーク装置が物理層シグナリングにより指示したものであるか、又は、
前記第１値は、前記ネットワーク装置が上位層シグナリングにより設定したものである。
【００２６】
任意選択的な実施形態において、前記第１時間帯に含まれる一番目の下りタイムユニットは、第２下りタイムユニットであり、前記第２下りタイムユニットと前記第１上りタイムユニットとの時間的間隔は、第２値以下である。
【００２７】
任意選択的な実施形態において、前記第２値は、通信システムにより規定されたものであるか、
前記第２値は、ネットワーク装置が物理層シグナリングにより指示したものであるか、又は、
前記第２値は、前記ネットワーク装置が上位層シグナリングにより設定したものである。
【００２８】
任意選択的な実施形態において、前記方法は、
前記ネットワーク装置が、第２上りタイムユニットにおいて、前記第１上り制御情報を受信することをさらに含み、前記第２上りタイムユニットが前記第１上りタイムユニットよりも遅い。
【００２９】
少なくとも２つの上りタイムユニット（例えば、第１上りタイムユニット及び第２上りタイムユニット）を利用して第１上り制御情報を受信することで、前記第１上り制御情報の伝送の正確度を向上させ、通信リンクの性能を確保することができることが理解されるべきである。
【００３０】
任意選択的な実施形態において、前記方法は、
前記ネットワーク装置が前記端末装置に第２情報を送信し、前記第２情報が、前記端末装置が第２上り制御情報を送信するための第３上りタイムユニットを指示するためのものであり、前記第２上り制御情報に第２ＨＡＲＱ情報が含まれ、前記第２ＨＡＲＱ情報が、前記端末装置により受信された第２下り共有チャネルに対応する少なくとも１つのＨＡＲＱ情報であり、前記第２下り共有チャネルに少なくとも１つの下り共有チャネルが含まれることと、
前記ネットワーク装置が、前記第３上りタイムユニットにおいて、前記第２上り制御情報を受信することとを更に含む。
【００３１】
任意選択的に、前記第２下り共有チャネルは、第２時間帯における少なくとも１つの下りタイムユニットにより送信される。
【００３２】
任意選択的な実施形態において、前記第２時間帯は、前記第１時間帯よりも遅く、且つ、前記第１時間帯と前記第２時間帯との間に、下りタイムユニットが含まれない。
【００３３】
任意選択的な実施形態において、前記第２時間帯は、前記第１時間帯よりも遅く、且つ、前記第１時間帯と前記第２時間帯に同じ第３下りタイムユニットが含まれ、前記第３下りタイムユニットに少なくとも１つの下りタイムユニットが含まれる。
【００３４】
任意選択的な実施形態において、前記第１上り制御情報に、第３ＨＡＲＱ情報が更に含まれるか、及び／又は、前記第２上り制御情報に、前記第３ＨＡＲＱ情報が更に含まれ、ここで、前記第３ＨＡＲＱ情報は、前記第３下りタイムユニットで伝送された少なくとも１つの下り共有チャネルに対応する少なくとも１つのＨＡＲＱ情報である。
【００３５】
第３態様によれば、上記第１態様又は第１態様の任意選択的な実現形態における方法を実行するための情報伝送装置を提供する。具体的には、該装置は、上記第１態様又は第１態様の任意選択的な実現形態における方法を実行するためのユニットを備える。
【００３６】
第４態様によれば、上記第２態様又は第２態様の任意選択的な実現形態における方法を実行するための情報伝送装置を提供する。具体的には、該装置は、上記第２態様又は第２態様の任意選択的な実現形態における方法を実行するためのユニットを備える。
【００３７】
第５態様によれば、メモリと、プロセッサと、入力インタフェースと、出力インタフェースとを備える情報伝送装置を提供する。メモリ、プロセッサ、入力インタフェース及び出力インタフェースは、バスシステムを介して接続される。該メモリは、命令を記憶するように構成され、該プロセッサは、該メモリに記憶されている命令を実行し、上記第１態様又は第１態様の任意選択的な実現形態における方法を実行するように構成される。
【００３８】
第６態様によれば、メモリと、プロセッサと、入力インタフェースと、出力インタフェースとを備える情報伝送装置を提供する。メモリ、プロセッサ、入力インタフェース及び出力インタフェースは、バスシステムを介して接続される。該メモリは、命令を記憶するように構成され、該プロセッサは、該メモリに記憶されている命令を実行し、上記第２態様又は第２態様の任意選択的な実現形態における方法を実行するように構成される。
【００３９】
第７態様によれば、上記第１態様又は第１態様の任意選択的な実現形態における方法の実行に用いられるコンピュータソフトウェア命令を記憶するように構成されるコンピュータ記憶媒体を提供し、該媒体は、上記形態の実行のために設計されたプログラムを含む。
【００４０】
第８態様によれば、上記第２態様又は第２態様の任意選択的な実現形態における方法の実行に用いられるコンピュータソフトウェア命令を記憶するように構成されるコンピュータ記憶媒体を提供し、該媒体は、上記形態の実行のために設計されたプログラムを含む。
【００４１】
第９態様によれば、命令を含むコンピュータプログラム製品を提供する。該製品がコンピュータ上で実行される時、コンピュータに、上記第１態様又は第１態様の任意選択的な実現形態における方法を実行させる。
【００４２】
第１０態様によれば、命令を含むコンピュータプログラム製品を提供する。該製品がコンピュータ上で実行される時、コンピュータに、上記第２態様又は第２態様の任意選択的な実現形態における方法を実行させる。
【発明の効果】
【００４３】
本発明の実施例の技術的解決手段において、端末装置は、第１上りタイムユニットを決定し、前記第１上りタイムユニットは、前記端末装置が第１上り制御情報を送信するためのタイムユニットであり、前記第１上り制御情報に第１ＨＡＲＱ情報が含まれ、前記第１ＨＡＲＱ情報は、前記端末装置により受信される第１下り共有チャネルに対応する少なくとも１つのＨＡＲＱ情報を含み、前記第１下り共有チャネルに少なくとも１つの下り共有チャネルが含まれ、前記第１下り共有チャネルは、第１時間帯における少なくとも１つの下りタイムユニットにより送信される。前記端末装置は、前記第１上りタイムユニットにおいて、前記第１上り制御情報を送信する。本発明の実施例の技術的解決手段によれば、アンライセンスキャリアにおいて上り制御情報をフィードバックする時、ＰＵＣＣＨの所在するタイムユニットに基づいて、該ＰＵＣＣＨに対応する１つ又は複数の下りタイムユニットを決定することで、該１つ又は複数の下りタイムユニットで伝送されるＰＤＳＣＨに対応するＨＡＲＱ情報を該ＰＵＣＣＨにおいてフィードバックする。該柔軟なＨＡＲＱフィードバック方法により、ネットワーク装置は、通信リンク全体の遅延及び性能を確保する上で、アンライセンススペクトルにおける上りと下りリソースを柔軟かつ効果的に割り当てることができる。
【図面の簡単な説明】
【００４４】
【図１】ＰＤＳＣＨ−ＨＡＲＱフィードバックの時間領域を示す概略図である。
【図２】本発明の実施例におけるＨＡＲＱ情報の伝送方法を示す第１フローチャートである。
【図３】本発明の実施例におけるＨＡＲＱ情報の伝送方法を示す第２フローチャートである。
【図４】本発明の実施例におけるＰＤＳＣＨ−ＨＡＲＱフィードバックの時間領域を示す概略図である。
【図５】本発明の実施例におけるＨＡＲＱ情報伝送装置の構成を示す第１概略図である。
【図６】本発明の実施例におけるＨＡＲＱ情報伝送装置の構成を示す第２概略図である。
【図７】本発明の実施例におけるコンピュータ装置の構成を示す概略図である。
【発明を実施するための形態】
【００４５】
ここで説明した添付図面は、本発明の一層の理解のために含めたものであり、本明細書に導入されてその一部となる。本発明の概略的な実施例及びその説明は、本発明の解説に用いるものであるが、本発明を不当に限定するものではない。
【００４６】
本発明の実施例の技術的解決手段を理解しやすくするために、以下、本発明の実施例に係る関連技術を説明する。
【００４７】
１）アンライセンススペクトル
アンライセンススペクトルは、国及び地域により区分された、無線装置の通信に利用可能なスペクトルである。該スペクトルは一般的には、共有スペクトルと認められる。つまり、様々な通信システムにおける通信装置は、国又は地域により該スペクトルで設定された法的要件を満たせば、専用のスペクトル認証を官庁に申し出る必要がなく、該スペクトルを用いることができる。アンライセンススペクトルを利用して無線通信を行う各通信システムを、該スペクトルにおいて友好的に共存させるために、幾つかの国々又は地域は、アンライセンススペクトルが使用される時に満たされなければならない法的要件を規定した。例えば、ヨーロッパでは、通信装置は、リッスンビフォートーク（ＬＢＴ：Ｌｉｓｔｅｎ  Ｂｅｆｏｒｅ  Ｔａｌｋ）という原則に従う。つまり、通信装置は、アンライセンススペクトルのチャネルで信号送信を行う前に、まず、チャネルリッスンを行う必要がある。クリアチャネルであるというチャネルリッスン結果を得た場合にのみ、該通信装置は、信号送信を行うことができる。アンライセンススペクトルのチャネルにおける通信装置によるチャネルリッスン結果は、チャネルがビジーであることになる場合、該通信装置は、信号送信を行うことができない。また、公平性を確保するために、一回の伝送において、通信装置がアンライセンススペクトルのチャネルを用いて信号伝送を行う時間長は、最大チャネル占有時間（ＭＣＯＴ：Ｍａｘｉｍｕｍ  Ｃｈａｎｎｅｌ  Ｏｃｃｕｐａｔｉｏｎ  Ｔｉｍｅ）を超えてはいけない。また、例えば、アンライセンススペクトルチャネルで伝送される信号へのサブバンド干渉を避け、且つ通信装置によるアンライセンススペクトルチャネル検出の正確度を向上させるために、アンライセンススペクトルチャネルで伝送される信号は、該チャネル帯域幅の一定の割合を占有する必要がある。例えば、５ＧＨｚの帯域について、信号は、チャネル帯域幅の８０％を占有する。６０ＧＨｚの帯域について、信号は、チャネル帯域幅の７０％を占有する。また、例えば、アンライセンススペクトルチャネルで伝送される信号の電力が大きすぎて該チャネルにおけるレーダ信号などのような他の重要な信号に影響を与えるのを避けるために、法規において、通信装置がアンライセンススペクトルチャネルを利用して信号伝送を行う場合の最大電力スペクトル密
度を規定した。
【００４８】
２）ネットワークアーキテクチャ
本発明の実施例は、例えばグローバルモバイル通信（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎｓ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ＬＴＥシステム及び先進の長期的進化（ＬＴＥ−Ａ：Ａｄｖａｎｃｅｄ  ｌｏｎｇ  ｔｅｒｍ  ｅｖｏｌｕｔｉｏｎ）システムのようなＬＴＥシステムの進化型システム、ＮＲシステム及びアンライセンススペクトルにおけるＮＲ（ＮＲ−Ｕ：ＮＲ−ｂａｓｅｄ  ａｃｃｅｓｓ  ｔｏ  ｕｎｌｉｃｅｎｓｅｄ  ｓｐｅｃｔｒｕｍ）システムのようなＮＲシステムの進化型システム、又は次世代通信システム等といった種々の通信システムに適用されてもよい。
【００４９】
一般的には、従来の通信システムのサポートする接続数が限られており、実現しやすい。しかしながら、通信技術の成長に伴い、移動通信システムは、従来の通信をサポートするだけでなく、デバイスツーデバイス（Ｄ２Ｄ：Ｄｅｖｉｃｅ  ｔｏ  Ｄｅｖｉｃｅ）通信、マシンツーマシン（Ｍ２Ｍ：Ｍａｃｈｉｎｅ  ｔｏ  Ｍａｃｈｉｎｅ）通信、マシンタイプ通信（ＭＴＣ：Ｍａｃｈｉｎｅ  Ｔｙｐｅ  Ｃｏｍｍｕｎｉｃａｔｉｏｎ）及び車両間（Ｖ２Ｖ：Ｖｅｈｉｃｌｅ  ｔｏ  Ｖｅｈｉｃｌｅ）通信をサポートするようになる。
【００５０】
本発明の実施例における通信システムは、キャリアアグリゲーション（ＣＡ：Ｃａｒｒｉｅｒ  Ａｇｇｒｅｇａｔｉｏｎ）シナリオに適用されてもよく、二重接続（ＤＣ：Ｄｕａｌ  Ｃｏｎｎｅｃｔｉｖｉｔｙ）シナリオに適用されてもよく、スタンドアローン（ＳＡ：Ｓｔａｎｄａｌｏｎｅ）ネットワーク配置シナリオに適用されてもよい。
【００５１】
本発明は、  本出願の実施例は、ネットワーク装置と端末装置によって、各実施例を説明する。ここで、
端末装置は、ユーザ装置（ＵＥ：Ｕｓｅｒ  Ｅｑｕｉｐｍｅｎｔ）、アクセス端末、ユーザユニット、ユーザ局、移動ステーション、移動局、遠隔局、遠隔端末、移動装置、ユーザ端末、端末、無線通信装置、ユーザ用エージェント又はユーザ装置と称されてもよい。端末装置は、無線ローカルエリアネットワーク（ＷＬＡＮ：Ｗｉｒｅｌｅｓｓ  Ｌｏｃａｌ  Ａｒｅａ  Ｎｅｔｗｏｒｋｓ）におけるステーション（ＳＴ：ＳＴＡＩＯＮ）であってもよく、セルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有するハンドヘルド装置、計算装置又は無線モデムに接続される他の処理装置、車載装置、ウェアラブル装置、第５世代の通信（５Ｇ：ｆｉｆｔｈ−ｇｅｎｅｒａｔｉｏｎ）ネットワークにおける端末装置又は将来の進化型公衆陸上移動体通信網（ＰＬＭＮ：Ｐｕｂｌｉｃ  Ｌａｎｄ  Ｍｏｂｉｌｅ  Ｎｅｔｗｏｒｋ）における端末装置等のような次世代の通信システムであってもよい。
【００５２】
限定されるものではないが、例として、本発明の実施例において、該端末装置は、ウェアラブル装置であってもよい。ウェアラブル装置は、ウェアラブルインテリジェント装置と称されてもよく、ウェアラブルな技術により、日常装着品についてインテリジェント設計を行うことで開発されたウェアラブル装置の総称である。例えば、メガネ、手袋、腕時計、服装及び靴等が挙げられる。ウェアラブル装置は、直接的に着用されるか、ユーザの服装又はアクセサリに整合された携帯用装置である。ウェアラブル装置は、ハードウェア装置であるだけでなく、ソフトウェアサポート、データ交換及びクラウド側の対話により高機能化されたものでもある。広義的ウェアラブルインテリジェント装置は、スマートウオッチ又はスマートメガネなどのような、高機能で、寸法が大きく、スマートフォンに依存せずに全部又は一部の機能を実現させるものを含む。なお、様々なバイタルサインモニタリングを行うスマートブレスレット、スマートジュエリー等のような、特定の適用機能のみに注目して、スマートフォンのような他の装置と組み合わせて使用されるものを含む。
【００５３】
ネットワーク装置は、モバイル装置と通信する装置であってもよい。ネットワーク装置は、ＷＬＡＮにおけるアクセスポイント（ＡＰ：Ａｃｃｅｓｓ  Ｐｏｉｎｔ）、ＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよいし、ＷＣＤＭＡにおける基地局（ＮＢ：ＮｏｄｅＢ）であってもよいし、ＬＴＥにおける進化型基地局（ｅＮＢ又はｅＮｏｄｅＢ：Ｅｖｏｌｕｔｉｏｎａｌ  Ｎｏｄｅ  Ｂ）、中継局、アクセスポイント、車載装置、ウェアラブル装置、将来の５Ｇシステムにおけるネットワーク装置又は将来の進化型ＰＬＭＮネットワークにおける端末装置等であってもよい。
【００５４】
本発明の実施例において、ネットワーク装置は、セルのためにサービスを提供する。端末装置は、該セルで使用される伝送リソース（例えば、周波数領域リソース又はスペクトルリソース）を介してネットワーク装置と通信する。該セルは、ネットワーク装置（例えば、基地局）に対応するセルであってもよい。セルは、マクロ基地局に属してもよいし、スモールセル（Ｓｍａｌｌ  ｃｅｌｌ）に対応する基地局に属してもよい。ここで、スモールセルは、メトロセル（Ｍｅｔｒｏ  Ｃｅｌｌ）、マイクロセル（Ｍｉｃｒｏ  ｃｅｌｌ）、ピコセル（Ｐｉｃｏ  ｃｅｌｌ）、フェムトセル（Ｆｅｍｔｏ  ｃｅｌｌ）等を含んでもよい。これらのスモールセルは、カバレッジが小さく、送信電力が低いという特性を有し、ハイレートのデータ伝送サービスに適用される。
【００５５】
本発明の実施例において、ＬＴＥシステム又はＮＲシステムにおけるキャリア上で、複数のセルが同一の周波数で動作することが可能である。幾つかの特別なシナリオにおいて、上記キャリアがセルの概念と同様であると認められる。例えば、ＣＡシナリオにおいて、ＵＥのためにセカンダリキャリアを設定する時、セカンダリキャリアのキャリアインデックス及び該セカンダリセル上で動作するセカンダリセルのセル識別子（Ｃｅｌｌ  ＩＤ：Ｃｅｌｌ  Ｉｎｄｅｎｔｉｆｙ）を同時に搬送する。この場合、キャリアの概念がセルと同様であると認められる。例えば、ＵＥが１つのキャリアにアクセスすることは、１つのセルにアクセスすることに等しい。
【００５６】
本発明の実施例における物理上り制御チャネル（ＰＵＣＣＨ：Ｐｈｙｓｉｃａｌ  Ｕｐｌｉｎｋ  Ｃｏｎｔｒｏｌ  ＣＨａｎｎｅｌ）は、ＬＴＥシステムにおけるＰＵＣＣＨであってもよいし、ＮＲシステムにおけるＰＵＣＣＨであってもよいし、他のシステムにおける上り制御チャネルであってもよいし、本発明はこれを限定するものではないことに留意されたい。
【００５７】
本発明の実施例において、上り制御情報は、ハイブリッド自動再送要求（ＨＡＲＱ：Ｈｙｂｒｉｄ  Ａｕｔｏｍａｔｉｃ  Ｒｅｐｅａｔ  ｒｅＱｕｅｓｔ）情報、チャネル状態情報（ＣＳＩ：Ｃｈａｎｎｅｌ−Ｓｔａｔｅ  Ｉｎｆｏｒｍａｔｉｏｎ）、スケジューリング要求（ＳＲ：Ｓｃｈｅｄｕｌｅ  Ｒｅｑｕｅｓｔ）情報及びＵＥから送信された他の制御情報のうちの少なくとも１つを含む。ここで、ＣＳＩ情報は、ランク指示（ＲＩ：Ｒａｎｋ  Ｉｎｄｉｃａｔｏｒ）情報、プリコーディング指示（ＰＭＩ：Ｐｒｅｃｏｄｉｎｇ  Ｍａｔｒｉｘ  Ｉｎｄｉｃａｔｏｒ）情報、チャネル品質指示（ＣＱＩ：Ｃｈａｎｎｅｌ  Ｑｕａｌｉｔｙ  Ｉｎｄｉｃａｔｏｒ）情報のうちの少なくとも１つを含む。
【００５８】
本発明の実施例において、上り制御情報は、ＰＵＣＣＨにより伝送されてもよいし、物理上り共有チャネル（ＰＵＳＣＨ：Ｐｈｙｓｉｃａｌ  Ｕｐｌｉｎｋ  Ｓｈａｒｅｄ  ＣＨａｎｎｅｌ）により伝送されてもよく、本発明は、これを限定するものではない。
【００５９】
任意選択的に、本発明の実施例において、１つの下り伝送機会は、下り情報伝送のための連続した１つ又は複数のタイムユニットと定義されてもよい。同様に、１つの上り伝送機会は、上り情報伝送のための連続した１つ又は複数のタイムユニットと定義されてもよい。
【００６０】
本発明の実施例において、１つのタイムユニットは、１つ又は複数のサブフレームと定義されてもよいし、１つ又は複数のスロットと定義されてもよいし、１つ又は複数のミニスロット又はシンボル等と定義されてもよい。１つの下り伝送機会又は１つの上り伝送機会の開始タイムユニット及び／又は終了タイムユニットは、完全なタイムユニットであってもよいし、一部のタイムユニットなどであってもよく、本発明の実施例はこれを限定するものではない。
【００６１】
任意選択的に、本発明における１つのタイムユニットは、１つの完全なタイムユニットであってもよいし、１つの不完全なタイムユニットであってもよい。例えば、１つの上りタイムユニットとは、１つのタイムユニットにおける全てのシンボルがいずれも上り伝送のためのものであることを意味してもよいし、１つのタイムユニットにおける一部のシンボルが上り伝送のためのものであることを意味してもよく、本発明はこれを限定するものではない。
【００６２】
本発明の実施例の技術的解決手段において、ＮＲ−Ｕシステムにおいて柔軟なＰＤＳＣＨ−ＨＡＲＱフィードバック時間（又は時系列と呼ばれる）を導入することで、通信リンク全体の遅延及び性能を確保する。
【００６３】
図２は、本発明の実施例におけるＨＡＲＱ情報の伝送方法を示す第１フローチャートである。本発明の実施例において、図２に示すように、前記ＨＡＲＱ情報の伝送方法は、下記ステップを含む。
【００６４】
ステップ２０１において、端末装置が第１上りタイムユニットを決定し、前記第１上りタイムユニットが、前記端末装置が第１上り制御情報を送信するためのタイムユニットであり、前記第１上り制御情報に第１ハイブリッド自動再送要求（ＨＡＲＱ）情報が含まれ、前記第１ＨＡＲＱ情報が、前記端末装置により受信される第１下り共有チャネルに対応する少なくとも１つのＨＡＲＱ情報を含み、前記第１下り共有チャネルに少なくとも１つの下り共有チャネルが含まれる。
【００６５】
任意選択的に、前記第１下り共有チャネルは、第１時間帯における少なくとも１つの下りタイムユニットにより送信される。
【００６６】
本出願の実施例において、第１上り制御情報に、第１時間帯（即ち、１つ又は複数の固定的なタイムユニット）における少なくとも１つの復調された下り共有チャネルに対応する少なくとも１つのＨＡＲＱ情報が含まれる。ここで、第１時間帯内に下りタイムユニットが存在するが、第１時間帯内に、上りタイムユニットがあるかどうかは限定されない。つまり、第１時間帯内に上りタイムユニットが含まれてもよいし、上りタイムユニットが含まれなくてもよい。
【００６７】
例えば、前記第１時間帯内にＭ個の下りタイムユニットが含まれる。該Ｍ個の下りタイムユニットは、例えばＮ個の下り共有チャネル（任意選択的に、Ｎは、Ｍ以下の正整数である）のような第１下り共有チャネル送信に用いられる。端末装置が第１上りタイムユニットで送信した第１上り制御情報には、該Ｎ個の下り共有チャネルに対応するＨＡＲＱ情報が含まれる。
【００６８】
任意選択的に、端末装置は、ネットワーク装置から送信された第１情報を受信する。前記第１情報は、第１上りタイムユニットの時間領域位置を指示するためのものである。
【００６９】
ステップ２０２において、前記端末装置が、前記第１上りタイムユニットにおいて、前記第１上り制御情報を送信する。
【００７０】
本出願の実施例において、前記第１時間帯と前記第１上りタイムユニットとの位置関係は、下記方式のうちの少なくとも１つにより決定される。
【００７１】
１）前記第１時間帯に含まれる最後の下りタイムユニットは、第１下りタイムユニットであり、前記第１下りタイムユニットと前記第１上りタイムユニットとの時間的間隔は、第１値以上である。
【００７２】
任意選択的に、前記第１値は、通信システムにより規定されたものであるか、
前記第１値は、ネットワーク装置が物理層シグナリングにより指示したものであるか、又は、
前記第１値は、前記ネットワーク装置が上位層シグナリングにより設定したものである。
【００７３】
任意選択的に、前記第１値は、前記端末装置のＨＡＲＱ処理能力に基づいて決定されたものである。
【００７４】
任意選択的に、前記第１値は、前記第１下り共有チャネルで伝送されるサービスの優先度に基づいて決定されたものである。
【００７５】
２）前記第１時間帯に含まれる一番目の下りタイムユニットは、第２下りタイムユニットであり、前記第２下りタイムユニットと前記第１上りタイムユニットとの時間的間隔は、第２値以下である。
【００７６】
任意選択的に、前記第２値は、通信システムにより規定されたものであるか、
前記第２値は、ネットワーク装置が物理層シグナリングにより指示したものであるか、又は、
前記第２値は、前記ネットワーク装置が上位層シグナリングにより設定したものである。
【００７７】
任意選択的に、前記第２値は、第１値よりも大きい。
【００７８】
本出願の実施例において、時間的間隔の単位は、タイムユニットであってもよいし、値の単位も、タイムユニットであってもよい。時間的間隔の定義を例として、タイムユニット＃２とタイムユニット＃３との時間的間隔は、１つのタイムユニットである。タイムユニット＃５とタイムユニット＃８との時間的間隔は、３つのタイムユニットである。値の定義を例として、第１値を３つのタイムユニットとし、第２値を５つのタイムユニットとし、第１上り制御情報伝送のためのタイムユニットをタイムユニット＃８とすれば、タイムユニット＃３、タイムユニット＃４、タイムユニット＃５で伝送される下り共有チャネルに対応するＨＡＲＱ情報は、タイムユニット＃８でフィードバックされる。
【００７９】
一実施形態において、前記端末装置は、第２上りタイムユニットにおいて、前記第１上り制御情報を送信し、前記第２上りタイムユニットは、前記第１上りタイムユニットよりも遅い。
【００８０】
ここで、第１上り制御情報は、複数の上りタイムユニットで再度伝送されてもよい。前記第１上りタイムユニットでの前記第１上り制御情報の伝送に失敗すれば、前記第１上りタイムユニットの後に位置する前記第２上りタイムユニットで前記第１上り制御情報を再度伝送することで、第１上り制御情報の送信の確率を向上させる。
【００８１】
任意選択的に、端末装置は、受信したネットワーク装置の指示情報に基づいて第２上りタイムユニットの時間領域位置を決定する。例えば、前記第１情報は更に、第２上りタイムユニットの時間領域位置を指示するためのものである。
【００８２】
本出願の実施例において、第１上り制御情報に、第１時間帯（即ち、あるの固定的なタイムユニット）における少なくとも１つの下り共有チャネルに対応する少なくとも１つのＨＡＲＱ情報が含まれる。同様に、第２上り制御情報に、第２時間帯における少なくとも１つの下り共有チャネルに対応する少なくとも１つのＨＡＲＱ情報が含まれてもよい。
【００８３】
この場合、前記端末装置は、第３上りタイムユニットを決定し、前記第３上りタイムユニットが、前記端末装置が第２上り制御情報を送信するためのタイムユニットであり、前記第２上り制御情報に第２ＨＡＲＱ情報が含まれ、前記第２ＨＡＲＱ情報が、前記端末装置により受信された第２下り共有チャネルに対応する少なくとも１つのＨＡＲＱ情報であり、前記第２下り共有チャネルに少なくとも１つの下り共有チャネルが含まれる。第２下り共有チャネルは、第２時間帯における少なくとも１つの下りタイムユニットにより送信される。前記端末装置が、前記第３上りタイムユニットにおいて、前記第２上り制御情報を送信する。
【００８４】
任意選択的に、端末装置は、ネットワーク装置から送信された第２情報を受信する。前記第２情報は、第３上りタイムユニットの時間領域位置を指示するためのものである。
【００８５】
任意選択的に、前記第２時間帯は、前記第１時間帯よりも遅く、且つ、前記第１時間帯と前記第２時間帯との間に、下りタイムユニットが含まれない。
【００８６】
任意選択的に、前記第２時間帯は、前記第１時間帯よりも遅く、且つ、前記第１時間帯と前記第２時間帯に同じ第３下りタイムユニットが含まれ、前記第３下りタイムユニットに少なくとも１つの下りタイムユニットが含まれる。また、前記第１上り制御情報に、第３ＨＡＲＱ情報が更に含まれるか、及び／又は、前記第２上り制御情報に、前記第３ＨＡＲＱ情報が更に含まれ、ここで、前記第３ＨＡＲＱ情報は、前記第３下りタイムユニットで伝送された少なくとも１つの下り共有チャネルに対応する少なくとも１つのＨＡＲＱ情報である。つまり、第３ＨＡＲＱ情報は、第１上りタイムユニットで送信されるか、第３ＨＡＲＱ情報は、第３上りタイムユニットで送信されるか、又は第３ＨＡＲＱ情報は、第１上りタイムユニット及び第３上りタイムユニットの両者で送信される。
【００８７】
図４は、本発明の実施例におけるＰＤＳＣＨ−ＨＡＲＱフィードバックの時間領域を示す概略図である。図４を参照すると、タイムユニットの番号は、＃０〜＃９で繰り返している番号であり、アンライセンススペクトルにおける一回の下り伝送には、７つのタイムユニットが含まれる、ここで、ＰＤＳＣＨの所在するタイムユニットには、タイムユニット＃７、タイムユニット＃８、タイムユニット＃９、タイムユニット＃０、タイムユニット＃１、タイムユニット＃２、及びタイムユニット＃３の一部のタイムユニットが含まれる。なお、一番目のＰＵＣＣＨ（即ち第１ＰＵＣＣＨ）リソースは、タイムユニット＃６に位置し、２番目のＰＵＣＣＨ（即ち第３ＰＵＣＣＨ）リソースは、一番目のＰＵＣＣＨリソースの後に位置する。本出願の実施例において、ＰＵＣＣＨの所在するタイムユニットに基づいて、該タイムユニットでフィードバックすべきＨＡＲＱを決定する。例えば、タイムユニットｎ１（即ち第１上りタイムユニット）には、ＰＵＣＣＨリソースが存在する。ここで、該ＰＵＣＣＨリソースは、タイムユニットｎ１−ｋ１の前（タイムユニットｎ１−ｋ１を含む）及び／又はタイムユニットｎ１−ｋ２の後（タイムユニットｎ１−ｋ２を含む）のタイムユニットにおけるＰＤＳＣＨに対応するフィードバック待ちのＨＡＲＱを伝送するために用いられる。ここで、ｎ１は、該ＰＵＣＣＨの所在するタイムユニットを表し、ｋ１は、第１値であり、ｋ２は、第２値である。
【００８８】
任意選択的に、ネットワーク装置は、下りタイムユニット（図４に示したタイムユニット＃３）において、ＰＤＣＣＨにより１つのＰＵＣＣＨ伝送をスケジューリングした。ここで、該ＰＤＣＣＨは、ｎ２＋ｍに対応するタイムユニットが該ＰＵＣＣＨの時間領域位置であることを指示する。ここで、ｎ２は、該ＰＤＣＣＨの所在するタイムユニットを表し、ｍは第３値である。
【００８９】
任意選択的に、１つのＵＥにおいて、１つのＰＵＣＣＨリソースに対応する下り伝送のためのタイムユニットは固定的なものである。即ち、１つのＰＵＣＣＨリソースで伝送されるＨＡＲＱ情報は、固定的なものである。
【００９０】
図４は、第１ＰＵＣＣＨリソースで、第１時間帯において復調されたＰＤＳＣＨをフィードバックすべきなＨＡＲＱ情報を示す概略図である。図４に示すように、タイムユニット＃６（即ち第１上りタイムユニット）における第１ＰＵＣＣＨリソースとして、ｋ１＝６、ｋ２＝９である。第１時間帯にタイムユニット＃７、＃８、＃９、＃０が含まれる。なお、タイムユニット＃７、＃８、＃９、＃０で伝送されるＰＤＳＣＨに対応するＨＡＲＱ情報は、第１ＰＵＣＣＨリソースによりネットワーク装置に送信されてもよい。即ち、第１ＰＵＣＣＨリソースで伝送されるＨＡＲＱ情報（即ち第１上り制御情報）は、固定的なものである。
【００９１】
任意選択的に、第１ＰＵＣＣＨリソースでのＵＥによる伝送に失敗すれば、例えば、ＵＥによる第１ＰＵＣＣＨリソースの前のチャネル検出に失敗すれば、ＵＥは、第３ＰＵＣＣＨリソースで伝送することができる。ここで、第３ＰＵＣＣＨリソースは、第１ＰＵＣＣＨリソースの後の１つのＰＵＣＣＨリソースであり、第３ＰＵＣＣＨリソースに対応するＰＵＣＣＨフォーマットは、第１ＰＵＣＣＨリソースに対応するフォーマットと同一であっても、異なってもよい。
【００９２】
図４は更に、第１ＰＵＣＣＨリソースでの、第２時間帯における復調されたＰＤＳＣＨのＨＡＲＱ情報のフィードバックを示す概略図である。図４に示すように、タイムユニット＃９（即ち第３上りタイムユニット）における第２ＰＵＣＣＨリソースとして、ｋ１＝４、ｋ２＝８である。第２時間帯にタイムユニット＃１、＃２、＃３、＃４、＃５が含まれる。ここで、タイムユニット＃４、＃５は、上りタイムユニットであり、なお、タイムユニット＃１、＃２、＃３で伝送されるＰＤＳＣＨに対応するＨＡＲＱ情報は、第２ＰＵＣＣＨリソースによりネットワーク装置に送信されてもよい。即ち、第２ＰＵＣＣＨリソースで伝送されるＨＡＲＱ情報（即ち第２上り制御情報）も、固定的なものである。
【００９３】
任意選択的に、第２ＰＵＣＣＨリソースでのＵＥによる伝送に失敗すれば、例えば、ＵＥによる第２ＰＵＣＣＨリソースの前のチャネル検出に失敗すれば、ＵＥは、第４ＰＵＣＣＨリソースで伝送することができる。ここで、第４ＰＵＣＣＨリソースは、第２ＰＵＣＣＨリソースの後の１つのＰＵＣＣＨリソースであり、第４ＰＵＣＣＨリソースに対応するＰＵＣＣＨフォーマットは、第２ＰＵＣＣＨリソースに対応するフォーマットと同一であっても、異なってもよい。
【００９４】
本発明の実施例の技術的解決手段によれば、アンライセンスキャリアにおいて上り制御情報をフィードバックする時、ＰＵＣＣＨの所在するタイムユニットに基づいて、該ＰＵＣＣＨに対応する１つ又は複数の下りタイムユニットを決定することで、該１つ又は複数の下りタイムユニットで伝送されるＰＤＳＣＨに対応するＨＡＲＱ情報を該ＰＵＣＣＨにおいてフィードバックする。該柔軟なＨＡＲＱフィードバック方法により、ネットワーク装置は、通信リンク全体の遅延及び性能を確保する上で、アンライセンススペクトルにおける上りと下りリソースを柔軟かつ効果的に割り当てることができる。
【００９５】
図３は、本発明の実施例におけるＨＡＲＱ情報の伝送方法を示す第２フローチャートである。本発明の実施例において、図３に示すように、前記ＨＡＲＱ情報の伝送方法は、下記ステップを含む。
【００９６】
ステップ３０１において、ネットワーク装置が端末装置に第１情報を送信し、前記第１情報が、前記端末装置が第１上り制御情報を送信するための第１上りタイムユニットを指示するためのものであり、前記第１上り制御情報に第１ハイブリッド自動再送要求（ＨＡＲＱ）情報が含まれ、前記第１ＨＡＲＱ情報が、前記端末装置により受信される第１下り共有チャネルに対応する少なくとも１つのＨＡＲＱ情報を含み、前記第１下り共有チャネルに少なくとも１つの下り共有チャネルが含まれる。
【００９７】
ステップ３０２において、前記ネットワーク装置が、前記第１上りタイムユニットにおいて、前記第１上り制御情報を受信する。
【００９８】
任意選択的に、前記第１下り共有チャネルは、第１時間帯における少なくとも１つの下りタイムユニットにより送信される。
【００９９】
一実施形態において、前記第１時間帯に含まれる最後の下りタイムユニットは、第１下りタイムユニットであり、前記第１下りタイムユニットと前記第１上りタイムユニットとの時間的間隔は、第１値以上である。
【０１００】
一実施形態において、前記第１値は、通信システムにより規定されたものであるか、
前記第１値は、ネットワーク装置が物理層シグナリングにより指示したものであるか、又は、
前記第１値は、前記ネットワーク装置が上位層シグナリングにより設定したものである。
【０１０１】
一実施形態において、前記第１時間帯に含まれる一番目の下りタイムユニットは、第２下りタイムユニットであり、前記第２下りタイムユニットと前記第１上りタイムユニットとの時間的間隔は、第２値以下である。
【０１０２】
一実施形態において、前記第２値は、通信システムにより規定されたものであるか、
前記第２値は、ネットワーク装置が物理層シグナリングにより指示したものであるか、又は、
前記第２値は、前記ネットワーク装置が上位層シグナリングにより設定したものである。
【０１０３】
一実施形態において、前記方法は、
前記ネットワーク装置が、第２上りタイムユニットにおいて、前記第１上り制御情報を受信することをさらに含み、前記第２上りタイムユニットが前記第１上りタイムユニットよりも遅い。
【０１０４】
一実施形態において、前記方法は、
前記ネットワーク装置が前記端末装置に第２情報を送信し、前記第２情報が、前記端末装置が第２上り制御情報を送信するための第３上りタイムユニットを指示するためのものであり、前記第２上り制御情報に第２ＨＡＲＱ情報が含まれ、前記第２ＨＡＲＱ情報が、前記端末装置により受信された第２下り共有チャネルに対応する少なくとも１つのＨＡＲＱ情報であり、前記第２下り共有チャネルに少なくとも１つの下り共有チャネルが含まれ、前記第２下り共有チャネルが、第２時間帯における少なくとも１つの下りタイムユニットにより送信されることと、
前記ネットワーク装置が、前記第３上りタイムユニットにおいて、前記第２上り制御情報を受信することとを更に含む。
【０１０５】
一実施形態において、前記第２時間帯は、前記第１時間帯よりも遅く、且つ、前記第１時間帯と前記第２時間帯に同じ第３下りタイムユニットが含まれ、前記第３下りタイムユニットに少なくとも１つの下りタイムユニットが含まれる。
【０１０６】
一実施形態において、前記第１上り制御情報に、第３ＨＡＲＱ情報が更に含まれるか、及び／又は、前記第２上り制御情報に、前記第３ＨＡＲＱ情報が更に含まれ、ここで、前記第３ＨＡＲＱ情報は、前記第３下りタイムユニットで伝送された少なくとも１つの下り共有チャネルに対応する少なくとも１つのＨＡＲＱ情報である。
【０１０７】
本発明のネットワーク側の実施例を、端末装置側の実施例を参照することで理解することができ、ネットワーク装置側の情報フィードバック方法と端末装置側の情報フィードバック方法は対応するフロー及び効果を持つことが、当業者であれば理解すべきである。
【０１０８】
図５は、本発明の実施例におけるＨＡＲＱ情報伝送装置の構成を示す第１概略図である。本発明の実施例において、図５に示すように、前記ＨＡＲＱ情報伝送装置は、
第１上りタイムユニットを決定し、前記第１上りタイムユニットが、前記端末装置が第１上り制御情報を送信するためのタイムユニットであり、前記第１上り制御情報に第１ハイブリッド自動再送要求（ＨＡＲＱ）情報が含まれ、前記第１ＨＡＲＱ情報が、前記端末装置により受信される第１下り共有チャネルに対応する少なくとも１つのＨＡＲＱ情報を含み、前記第１下り共有チャネルに少なくとも１つの下り共有チャネルが含まれるように構成される決定ユニット５０１と、
前記第１上りタイムユニットにおいて、前記第１上り制御情報を送信するように構成される第１送信ユニット５０２とを備える。
【０１０９】
任意選択的に、前記第１下り共有チャネルは、第１時間帯における少なくとも１つの下りタイムユニットにより送信される。
【０１１０】
一実施形態において、前記第１時間帯に含まれる最後の下りタイムユニットは、第１下りタイムユニットであり、前記第１下りタイムユニットと前記第１上りタイムユニットとの時間的間隔は、第１値以上である。
【０１１１】
一実施形態において、前記第１値は、通信システムにより規定されたものであるか、
前記第１値は、ネットワーク装置が物理層シグナリングにより指示したものであるか、又は、
前記第１値は、前記ネットワーク装置が上位層シグナリングにより設定したものである。
【０１１２】
一実施形態において、前記第１時間帯に含まれる一番目の下りタイムユニットは、第２下りタイムユニットであり、前記第２下りタイムユニットと前記第１上りタイムユニットとの時間的間隔は、第２値以下である。
【０１１３】
一実施形態において、前記第２値は、通信システムにより規定されたものであるか、
前記第２値は、ネットワーク装置が物理層シグナリングにより指示したものであるか、又は、
前記第２値は、前記ネットワーク装置が上位層シグナリングにより設定したものである。
【０１１４】
一実施形態において、前記装置は、
第２上りタイムユニットにおいて、前記第１上り制御情報を送信するように構成される第２送信ユニット５０３を更に備え、前記第２上りタイムユニットが、前記第１上りタイムユニットよりも遅い。
【０１１５】
一実施形態において、前記決定ユニット５０１は更に、第３上りタイムユニットを決定するように構成され、前記第３上りタイムユニットが、前記端末装置が第２上り制御情報を送信するためのタイムユニットであり、前記第２上り制御情報に第２ＨＡＲＱ情報が含まれ、前記第２ＨＡＲＱ情報が、前記端末装置により受信された第２下り共有チャネルに対応する少なくとも１つのＨＡＲＱ情報であり、前記第２下り共有チャネルに少なくとも１つの下り共有チャネルが含まれ、前記第２下り共有チャネルが、第２時間帯における少なくとも１つの下りタイムユニットにより送信され、
前記装置は、前記第３上りタイムユニットにおいて、前記第２上り制御情報を送信するように構成される第３送信ユニット５０４を更に備える。
【０１１６】
一実施形態において、前記第２時間帯は、前記第１時間帯よりも遅く、且つ、前記第１時間帯と前記第２時間帯との間に、下りタイムユニットが含まれない。
【０１１７】
一実施形態において、前記第２時間帯は、前記第１時間帯よりも遅く、且つ、前記第１時間帯と前記第２時間帯に同じ第３下りタイムユニットが含まれ、前記第３下りタイムユニットに少なくとも１つの下りタイムユニットが含まれる。
【０１１８】
一実施形態において、前記第１上り制御情報に、第３ＨＡＲＱ情報が更に含まれるか、及び／又は、前記第２上り制御情報に、前記第３ＨＡＲＱ情報が更に含まれ、ここで、前記第３ＨＡＲＱ情報は、前記第３下りタイムユニットで伝送された少なくとも１つの下り共有チャネルに対応する少なくとも１つのＨＡＲＱ情報である。
【０１１９】
図５に示したＨＡＲＱ情報伝送装置における各ユニットの機能を、上述したＨＡＲＱ情報の伝送方法に関連する説明を参照することで理解できることは、当業者であれば理解すべきである。図５に示したＨＡＲＱ情報伝送装置における各ユニットの機能は、プロセッサ上で実行されるプログラムにより実現してもよいし、具体的な論理回路により実現してもよい。図５に示した第１送信ユニット５０２、第２送信ユニット５０３及び第３送信ユニット５０４は同じ送信ユニットであってもよいし、異なる送信ユニットであってもよく、本発明はこれを限定するものではないことが、理解されるべきである。
【０１２０】
図６は、本発明の実施例におけるＨＡＲＱ情報伝送装置の構成を示す第２概略図である。本発明の実施例において、図６に示すように、前記ＨＡＲＱ情報伝送装置は、
端末装置に第１情報を送信し、前記第１情報が、前記端末装置が第１上り制御情報を送信するための第１上りタイムユニットを指示するためのものであり、前記第１上り制御情報に第１ハイブリッド自動再送要求（ＨＡＲＱ）情報が含まれ、前記第１ＨＡＲＱ情報が、前記端末装置により受信される第１下り共有チャネルに対応する少なくとも１つのＨＡＲＱ情報を含み、前記第１下り共有チャネルに少なくとも１つの下り共有チャネルが含まれるように構成される送信ユニット６０１と、
前記第１上りタイムユニットにおいて、前記第１上り制御情報を受信するように構成される第１受信ユニット６０２とを備える。
【０１２１】
任意選択的に、前記第１下り共有チャネルは、第１時間帯における少なくとも１つの下りタイムユニットにより送信される。
【０１２２】
一実施形態において、前記第１時間帯に含まれる最後の下りタイムユニットは、第１下りタイムユニットであり、前記第１下りタイムユニットと前記第１上りタイムユニットとの時間的間隔は、第１値以上である。
【０１２３】
一実施形態において、前記第１値は、通信システムにより規定されたものであるか、
前記第１値は、ネットワーク装置が物理層シグナリングにより指示したものであるか、又は、
前記第１値は、前記ネットワーク装置が上位層シグナリングにより設定したものである。
【０１２４】
一実施形態において、前記第１時間帯に含まれる一番目の下りタイムユニットは、第２下りタイムユニットであり、前記第２下りタイムユニットと前記第１上りタイムユニットとの時間的間隔は、第２値以下である。
【０１２５】
一実施形態において、前記第２値は、通信システムにより規定されたものであるか、
前記第２値は、ネットワーク装置が物理層シグナリングにより指示したものであるか、又は、
前記第２値は、前記ネットワーク装置が上位層シグナリングにより設定したものである。
【０１２６】
一実施形態において、前記装置は、
第２上りタイムユニットにおいて、前記第１上り制御情報を受信するように構成される第２受信ユニット６０３を更に備え、前記第２上りタイムユニットが前記第１上りタイムユニットよりも遅い。
【０１２７】
一実施形態において、前記送信ユニット６０１は更に、前記端末装置に第２情報を送信するように構成され、前記第２情報が、前記端末装置が第２上り制御情報を送信するための第３上りタイムユニットを指示するためのものであり、前記第２上り制御情報に第２ＨＡＲＱ情報が含まれ、前記第２ＨＡＲＱ情報が、前記端末装置により受信された第２下り共有チャネルに対応する少なくとも１つのＨＡＲＱ情報であり、前記第２下り共有チャネルに少なくとも１つの下り共有チャネルが含まれ、前記第２下り共有チャネルが、第２時間帯における少なくとも１つの下りタイムユニットにより送信され、
前記装置は、
前記第３上りタイムユニットにおいて、前記第２上り制御情報を受信するように構成される第３受信ユニット６０４を更に備える。
【０１２８】
一実施形態において、前記第２時間帯は、前記第１時間帯よりも遅く、且つ、前記第１時間帯と前記第２時間帯との間に、下りタイムユニットが含まれない。
【０１２９】
一実施形態において、前記第２時間帯は、前記第１時間帯よりも遅く、且つ、前記第１時間帯と前記第２時間帯に同じ第３下りタイムユニットが含まれ、前記第３下りタイムユニットに少なくとも１つの下りタイムユニットが含まれる。
【０１３０】
一実施形態において、前記第１上り制御情報に、第３ＨＡＲＱ情報が更に含まれるか、及び／又は、前記第２上り制御情報に、前記第３ＨＡＲＱ情報が更に含まれ、ここで、前記第３ＨＡＲＱ情報は、前記第３下りタイムユニットで伝送された少なくとも１つの下り共有チャネルに対応する少なくとも１つのＨＡＲＱ情報である。
【０１３１】
図６に示したＨＡＲＱ情報伝送装置における各ユニットの機能を、上述したＨＡＲＱ情報の伝送方法に関連する説明を参照することで理解できることは、当業者であれば理解すべきである。図６に示したＨＡＲＱ情報伝送装置における各ユニットの機能は、プロセッサ上で実行されるプログラムにより実現してもよいし、具体的な論理回路により実現してもよい。図６に示した第１受信ユニット６０２、第２受信ユニット６０３及び第３受信ユニット６０４は同じ受信ユニットであってもよいし、異なる受信ユニットであってもよく、本発明はこれを限定するものではないことが、理解されるべきである。
【０１３２】
本発明の実施例における上記ＨＡＲＱ情報伝送装置は、ソフトウェア機能ユニットの形で実現され、かつ独立した製品として販売または使用されるとき、コンピュータにより読み取り可能な記憶媒体内に記憶されてもよい。このような理解のもと、本発明の技術的解決手段は、本質的に、又は、従来技術に対して貢献をもたらした部分又は該技術的解決手段の一部は、ソフトウェア製品の形式で具現することができ、このようなコンピュータソフトウェア製品は、記憶媒体に記憶しても良く、また、コンピュータ設備（パソコン、サーバ、又はネットワーク装置など）に、本発明の各実施例に記載の方法の全部又は一部のステップを実行させるための若干の命令を含む。前記の記憶媒体は、Ｕディスク、リムーバブルハードディスク、読み出し専用メモリ（ＲＯＭ：Ｒｅａｄ−ｏｎｌｙ  Ｍｅｍｏｒｙ）、ディスク、又は光ディスクなど、プログラムコードを記憶可能な各種の媒体を含む。従って、本発明の実施例は、如何なる特定のハードウェアとソフトウェアの組み合わせにも限定されない。
【０１３３】
なお、本発明の実施例は、コンピュータによる実行可能な命令が記憶されているコンピュータ記憶媒体を更に提供し、該コンピュータによる実行可能な命令がプロセッサにより実行される時、本発明の実施例における上記ＨＡＲＱ情報の伝送方法を実現させる。
【０１３４】
図７は、本発明の実施例におけるコンピュータ装置の構成を示す概略図である。該コンピュータ装置は、端末装置であってもよいし、ネットワーク装置であってもよい。図７に示すように、コンピュータ装置１００は、１つ又は複数の（図面には１つのみが示される）プロセッサ１００２（プロセッサ１００２は、マイクロプロセッサ（ＭＣＵ：Ｍｉｃｒｏ  Ｃｏｎｔｒｏｌｌｅｒ  Ｕｎｉｔ）又はプログラマブルロジックデバイス（ＦＰＧＡ：Ｆｉｅｌｄ  Ｐｒｏｇｒａｍｍａｂｌｅ  Ｇａｔｅ  Ａｒｒａｙ）等の処理装置を含んでもよいが、これらに限定されない）、データを記憶するためのメモリ１００４、及び通信のための伝送装置１００６を備えてもよい。図７に示した構成は模式的なものに過ぎず、上記電子装置の構成を限定するものではないことは、当業者であれば、理解すべきである。例えば、コンピュータ装置１００は、図７に示したものより多くユニット又は少ないユニットを備えてもよいし、図７に示したものと異なる構成を備えてもよい。
【０１３５】
メモリ１００４は、本発明の実施例における方法に対応するプログラム命令／モジュールのようなアプリケーションのソフトウェアプログラム及びモジュールを記憶するためのものである。プロセッサ１００２は、メモリ１００４に記憶されているソフトウェアプログラム及びモジュールを実行することで、様々な機能のアプリケーション及びデータ処理を実行し、つまり上記方法を実現させる。メモリ１００４は、高速ランダムメモリを含んでもよいし、１つ又は複数の磁気記憶装置、フラッシュメモリ、その他の不揮発性固体記憶装置のような不揮発性メモリを含んでもよい。幾つかの実例において、メモリ１００４は、プロセッサ１００２に対して遠隔に設けられるメモリを更に含んでもよい。これらのリモートメモリは、ネットワークを介してコンピュータ装置１００に接続される。上記ネットワークは、インターネット、イントラネット、ローカルエリアネットワーク、移動体通信ネットワーク及びこれらの組み合わせを含むが、これらに限定されない。
【０１３６】
伝送装置１００６は、ネットワークを介してデータを送受信するように構成される。上記ネットワークの具体的な実例は、コンピュータ装置１００の通信業者により提供される無線ネットワークを含んでもよい。一実例において、伝送装置１００６は、ネットワークアダプタデバイス（ＮＩＣ：Ｎｅｔｗｏｒｋ  Ｉｎｔｅｒｆａｃｅ  Ｃｏｎｔｒｏｌｌｅｒ）を含み、それは、基地局を介して他のネットワーク装置と接続することで、インターネットと通信することができる。一実例において、伝送装置１００６は、無線方式でインターネットと通信するための無線周波数（ＲＦ：Ｒａｄｉｏ  Ｆｒｅｑｕｅｎｃｙ）モジュールであってもよい。
【０１３７】
本発明の実施例に記載の技術的解決手段は、矛盾しない限り、任意に組み合わせすることができる。
【０１３８】
本発明が提供する幾つかの実施例で開示した方法及びインテリジェント装置は、他の方式によって実現できることを理解すべきである。以上に記載した装置の実施例はただ例示的なもので、例えば、前記ユニットの分割はただロジック機能の分割であり、実際に実現する時に、他の分割方式によってもよい。例えば、複数のユニット又は組立体を組み合わせてもよいし、別のシステムに組み込んでもよい。又は若干の特徴を無視してもよいし、実行しなくてもよい。また、示したか或いは検討した相互間の結合、直接的な結合又は通信接続は、幾つかのインターフェイス、装置又はユニットによる間接的な結合又は通信接続であってもよく、電気的、機械的または他の形態であってもよい。
【０１３９】
分離部材として説明した上記ユニットは、物理的に別個のものであってもよいし、そうでなくてもよい。ユニットとして示された部材は、物理的ユニットであってもよいし、そうでなくてもよい。即ち、同一の位置に位置してもよいし、複数のネットワークユニットに分布してもよい。実際の需要に応じてそのうちの一部又は全てのユニットにより本実施例の方策の目的を実現することができる。
【０１４０】
また、本発明の各実施例における各機能ユニットは一つの第２処理ユニットに集積されてもよいし、各ユニットが物理的に別個のものとして存在してもよいし、２つ以上のユニットが一つのユニットに集積されてもよい。上記集積したユニットは、ハードウェアの形で実現してもよいし、ハードウェアとソフトウェアユニットの組み合わせという形で実現してもよい。
【０１４１】
以上は本発明の具体的な実施形態に過ぎず、本発明の保護の範囲はそれらに制限されるものではなく、当業者が本発明に開示された技術範囲内で容易に想到しうる変更や置換はいずれも、本発明の保護範囲内に含まれるべきである。
【図１】
2021517793.tif 000004
【図２】
2021517793.tif 000005
【図３】
2021517793.tif 000006
【図４】
2021517793.tif 000007
【図５】
2021517793.tif 000008
【図６】
2021517793.tif 000009
【図７】
2021517793.tif 000010
【手続補正書】
【提出日】令和3年1月19日(2021.1.19)
【手続補正１】
【補正対象書類名】特許請求の範囲
【補正対象項目名】全文
【補正方法】変更
【補正の内容】
【特許請求の範囲】
【請求項１】
ハイブリッド自動再送要求（ＨＡＲＱ）情報の伝送方法であって、
端末装置が、第１上りタイムユニットを決定することであって、前記第１上りタイムユニットが、前記端末装置が第１上り制御情報を送信するためのタイムユニットであり、前記第１上り制御情報に第１ハイブリッド自動再送要求（ＨＡＲＱ）情報が含まれ、前記第１ＨＡＲＱ情報が、前記端末装置により受信される第１下り共有チャネルに対応する少なくとも１つのＨＡＲＱ情報を含み、前記第１下り共有チャネルに少なくとも１つの下り共有チャネルが含まれ、前記第１下り共有チャネルが、第１時間帯における少なくとも１つの下りタイムユニットにより送信されることと、
前記端末装置が、前記第１上りタイムユニットにおいて、前記第１上り制御情報を送信することとを含む、ハイブリッド自動再送要求情報の伝送方法。
【請求項２】
前記第１上りタイムユニットが、前記端末装置により、ネットワーク装置からの第１指示に基づいて決定されたものである、
請求項１に記載の方法。
【請求項３】
前記第１時間帯に含まれる最後の下りタイムユニットは、第１下りタイムユニットであり、前記第１下りタイムユニットと前記第１上りタイムユニットとの時間的間隔は、第１値以上であることを特徴とする、
請求項１又は２に記載の方法。
【請求項４】
前記第１値は、通信システムにより規定されたものであるか、
前記第１値は、前記ネットワーク装置が物理層シグナリングにより指示したものであるか、又は、
前記第１値は、前記ネットワーク装置が上位層シグナリングにより設定したものであることを特徴とする、
請求項３に記載の方法。
【請求項５】
前記第１時間帯に含まれる一番目の下りタイムユニットは、第２下りタイムユニットであり、前記第２下りタイムユニットと前記第１上りタイムユニットとの時間的間隔は、第２値以下であることを特徴とする、
請求項１から４のいずれか一項に記載の方法。
【請求項６】
前記第２値は、通信システムにより規定されたものであるか、
前記第２値は、ネットワーク装置が物理層シグナリングにより指示したものであるか、又は、
前記第２値は、前記ネットワーク装置が上位層シグナリングにより設定したものであることを特徴とする、
請求項５に記載の方法。
【請求項７】
前記方法は、
前記端末装置が、第２上りタイムユニットにおいて、前記第１上り制御情報を送信することをさらに含み、前記第２上りタイムユニットが、前記第１上りタイムユニットよりも遅いことを特徴とする、
請求項１から５のいずれか一項に記載の方法。
【請求項８】
前記第２上りタイムユニットが、前記端末装置により、前記ネットワーク装置からの第２指示に基づいて決定されたものである、
請求項７に記載の方法。
【請求項９】
ハイブリッド自動再送要求（ＨＡＲＱ）情報伝送装置であって、
第１上りタイムユニットを決定するように構成される決定ユニットであって、前記第１上りタイムユニットが、前記端末装置が第１上り制御情報を送信するためのタイムユニットであり、前記第１上り制御情報に第１ハイブリッド自動再送要求（ＨＡＲＱ）情報が含まれ、前記第１ＨＡＲＱ情報が、前記端末装置により受信される第１下り共有チャネルに対応する少なくとも１つのＨＡＲＱ情報を含み、前記第１下り共有チャネルに少なくとも１つの下り共有チャネルが含まれ、前記第１下り共有チャネルが、第１時間帯における少なくとも１つの下りタイムユニットにより送信される決定ユニットと、
前記第１上りタイムユニットにおいて、前記第１上り制御情報を送信するように構成される送信ユニットとを備える、ハイブリッド自動再送要求情報伝送装置。
【請求項１０】
前記第１上りタイムユニットが、前記端末装置により、ネットワーク装置からの第１指示に基づいて決定されたものである、
請求項９に記載の装置。
【請求項１１】
前記第１時間帯に含まれる最後の下りタイムユニットは、第１下りタイムユニットであり、前記第１下りタイムユニットと前記第１上りタイムユニットとの時間的間隔は、第１値以上であり、
前記第１値は、通信システムにより規定されたものであるか、
前記第１値は、前記ネットワーク装置が物理層シグナリングにより指示したものであるか、又は、
前記第１値は、前記ネットワーク装置が上位層シグナリングにより設定したものであることを特徴とする、
請求項９又は１０に記載の装置。
【請求項１２】
前記第１時間帯に含まれる一番目の下りタイムユニットは、第２下りタイムユニットであり、前記第２下りタイムユニットと前記第１上りタイムユニットとの時間的間隔は、第２値以下であり、
前記第２値は、通信システムにより規定されたものであるか、
前記第２値は、ネットワーク装置が物理層シグナリングにより指示したものであるか、又は、
前記第２値は、前記ネットワーク装置が上位層シグナリングにより設定したものであることを特徴とする、
請求項９から１１のいずれか一項に記載の装置。
【請求項１３】
前記送信ユニットは、
第２上りタイムユニットにおいて、前記第１上り制御情報を送信するようにさらに構成され、前記第２上りタイムユニットが、前記第１上りタイムユニットよりも遅いことを特徴とする、
請求項９から１２のいずれか一項に記載の装置。
【請求項１４】
前記第２上りタイムユニットが、前記端末装置により、前記ネットワーク装置からの第２指示に基づいて決定されたものである、
請求項１３に記載の装置。
【請求項１５】
端末装置であって、
命令を含むメモリと、プロセッサとを含み、
前記プロセッサは、前記命令を実行する時に、請求項１から８のいずれか一項に記載の方法を実行する、端末装置。
【国際調査報告】
2021517793.tif 000011
2021517793.tif 000012
2021517793.tif 000013
2021517793.tif 000014